(57)【要約】【課題】測定された生体情報の表示に自由度を持たせて、被測定者と第三者の双方にとって容易に生体情報の確認を行うことができ、かつ、被測定者のプライバシーにも配慮することのできる生体情報測定装置を提供する。【解決手段】空気袋２により圧力センサ６ａ，７ａが橈骨動脈Ｔに押圧された状態で圧力センサ６ａ，７ａにより検出される圧脈波に基づいて生体情報を測定する制御部１２と、圧力センサ６ａ，７ａが橈骨動脈Ｔに押圧された状態で手首の周りに並べて配置される表示部１０４，１０５と、を備える。制御部１２は、表示部１０４，１０５の表示制御を行う。表示部１０４は、圧力センサ６ａ，７ａが橈骨動脈Ｔに押圧された状態において手首における手のひら側に配置される。表示部１０５は、圧力センサ６ａ，７ａが橈骨動脈Ｔに押圧された状態において手首における手の甲側に配置される。【選択図】図１
2016158767.tif 000002
【特許請求の範囲】
【請求項１】
手首から検出される生体信号に基づいて生体情報を測定する生体情報測定部を有する手首装着型の生体情報測定装置であって、
手首が挿入可能な空間を形成する筐体と、
前記筐体の外周に設けられた第一の表示部及び第二の表示部と、
前記第一の表示部及び前記第二の表示部の表示制御を行う表示制御部と、を備え、
前記第一の表示部と前記第二の表示部は、前記第一の表示部の表示面の中心と前記第二の表示部の表示面の中心とを結ぶ直線上に前記空間が存在する配置になっており、かつ、前記生体情報測定装置が手首に装着された状態での手のひらに垂直な方向における、前記第一の表示部の表示面の中心と前記第二の表示部の表示面の中心の位置は、当該方向における前記空間の中心の位置を挟む位置となっている生体情報測定装置。
【請求項２】
請求項１記載の生体情報測定装置であって、
圧力検出部と、
前記圧力検出部を手首の皮膚下の動脈に対し押圧する押圧部と、を備え、
前記生体情報測定部は、前記押圧部により前記圧力検出部が前記動脈に押圧された状態で前記圧力検出部により検出される生体信号としての圧脈波に基づいて生体情報を測定する生体情報測定装置。
【請求項３】
請求項１又は２記載の生体情報測定装置であって、
前記表示制御部は、前記生体情報測定部により測定された生体情報に基づく情報を前記第一の表示部と前記第二の表示部に表示させる生体情報測定装置。
【請求項４】
請求項３記載の生体情報測定装置であって、
前記第一の表示部の表示面の中心の前記手のひらに垂直な方向における位置は、当該方向における前記空間の中心の位置よりも手のひら側であり、
前記第二の表示部の表示面の中心の前記手のひらに垂直な方向における位置は、当該方向における前記空間の中心の位置よりも手の甲側であり、
前記表示制御部は、前記生体情報に基づく情報として前記生体信号としての圧脈波に基づいて測定される脈拍のリズムを通知するための情報を前記第二の表示部に表示させ、前記生体情報に基づく情報として前記圧脈波に基づいて測定される血圧値を前記第一の表示部に表示させる生体情報測定装置。
【請求項５】
請求項３記載の生体情報測定装置であって、
前記表示制御部は、前記第一の表示部と前記第二の表示部に異なる情報を表示させる第一の制御と、前記第一の表示部と前記第二の表示部に同じ情報を表示させる第二の制御と、を選択的に行う生体情報測定装置。
【請求項６】
請求項５記載の生体情報測定装置であって、
前記第一の表示部の表示面の中心の前記手のひらに垂直な方向における位置は、当該方向における前記空間の中心の位置よりも手のひら側であり、
前記第二の表示部の表示面の中心の前記手のひらに垂直な方向における位置は、当該方向における前記空間の中心の位置よりも手の甲側であり、
前記第一の制御は、前記生体情報に基づく情報として前記生体信号としての圧脈波に基づいて測定される脈拍のリズムを通知するための情報を前記第二の表示部に表示させ、前記生体情報に基づく情報として前記圧脈波に基づいて測定される血圧値を前記第一の表示部に表示させる制御であり、
前記第二の制御は、前記生体情報に基づく情報として前記圧脈波に基づいて測定される脈拍数、及び、前記圧脈波に基づいて測定される血圧値の少なくとも血圧値を前記第一の表示部と前記第二の表示部の各々に表示させる制御である生体情報測定装置。
【請求項７】
請求項１〜６のいずれか１項記載の生体情報測定装置であって、
前記第一の表示部の表示面の中心の前記手のひらに垂直な方向における位置は、当該方向における前記空間の中心の位置よりも手のひら側であり、
前記第二の表示部の表示面の中心の前記手のひらに垂直な方向における位置は、当該方向における前記空間の中心の位置よりも手の甲側であり、
前記生体情報測定部により測定された生体情報以外の生体情報を取得する生体情報取得部を更に備え、
前記表示制御部が前記第一の表示部に表示させる情報は、前記生体情報取得部により取得された生体情報を含む生体情報測定装置。
【発明の詳細な説明】
【技術分野】
【０００１】
本発明は、生体情報測定装置に関する。
【背景技術】
【０００２】
手首の橈骨動脈等の動脈が通る生体部位に圧力センサを直接接触させた状態で、このセンサにより検出される情報を用いて脈拍や血圧等の生体情報を連続的（１拍毎）に測定することのできる生体情報測定装置が知られている（特許文献１〜５参照）。
【０００３】
特許文献１に記載の血圧測定装置は、圧力センサを接触させる生体部位とは別の部位において、カフを用いて血圧値を算出し、算出した血圧値から校正データを生成する。そして、圧力センサにより検出される圧脈波をこの校正データを用いて校正することで、１拍毎に血圧値を算出している。
【０００４】
特許文献２，３，４には、カフを用いることなく、手首に接触させる圧力センサにより検出される情報のみで１拍毎に血圧を測定する血圧測定装置が記載されている。
【０００５】
特許文献５に記載された生体情報測定装置は、腕時計型であり、手首に装着した状態で、手のひら側に表示部が配置される構成となっている。この表示部には、圧力センサにより検出された圧脈波に基づいて測定された生体情報（運動強度、心拍数等）が表示される。
【０００６】
特許文献６には、生体部位に圧力センサを接触させるタイプの血圧測定装置ではなく、カフを用いて手首を圧迫することで血圧測定を行うことのできる腕時計型の血圧測定装置が記載されている。この血圧測定装置は、手首に装着した状態で、手の甲側に表示部が配置され、この表示部に、測定された血圧値等が表示される構成となっている。
【先行技術文献】
【特許文献】
【０００７】
【特許文献１】特開２００４−１１３３６８号公報
【特許文献２】特開平０２−２６１４２１号公報
【特許文献３】特開平０７−１２４１３０号公報
【特許文献４】特開平０１−２４２０３１号公報
【特許文献５】特開２０１０−２２０９４９号公報
【特許文献６】ＷＯ２０１２／０１８０２９号公報
【発明の概要】
【発明が解決しようとする課題】
【０００８】
特許文献５や特許文献６に記載された装置のように、手首に装着して用いる生体情報測定装置において、手の甲側又は手のひら側にだけ表示部が配置されていると、不都合が生じる可能性がある。
【０００９】
例えば、生体情報測定装置を病院等で使用することを想定し、医療従事者が、患者の手首に装着された生体情報測定装置の表示部に表示されている生体情報を確認する場合を考える。患者の体調や病状等によっては、患者が自由に手を動かすことができないこともある。このような状況では、医療従事者が患者の手首を動かして表示部の表示を確認する必要があり、医療従事者と患者の双方にとって負担がかかる場合がある。また、自由に手を動かすことのできない状況にあった場合には、表示部を確認することが難しくなる。
【００１０】
また、手のひら側にある表示部を確認するための動作は、手の甲側にある表示部を確認するための動作と比べると、人によってはその動作が行いにくい。一方で、手の甲側にだけ表示部があると、その表示部は他人から見えやすい位置にあることから、プライバシーの保護が難しくなる。
【００１１】
本発明は、上記事情に鑑みてなされたものであり、測定された生体情報の表示に自由度を持たせて、被測定者と第三者の双方にとって容易に生体情報の確認を行うことができ、かつ、被測定者のプライバシーにも配慮することのできる生体情報測定装置を提供することを目的とする。
【課題を解決するための手段】
【００１２】
本発明の生体情報測定装置は、手首から検出される生体信号に基づいて生体情報を測定する生体情報測定部を有する手首装着型の生体情報測定装置であって、手首が挿入可能な空間を形成する筐体と、前記筐体の外周に設けられた第一の表示部及び第二の表示部と、前記第一の表示部及び前記第二の表示部の表示制御を行う表示制御部と、を備え、前記第一の表示部と前記第二の表示部は、前記第一の表示部の表示面の中心と前記第二の表示部の表示面の中心とを結ぶ直線上に前記空間が存在する配置になっており、かつ、前記生体情報測定装置が手首に装着された状態での手のひらに垂直な方向における、前記第一の表示部の表示面の中心と前記第二の表示部の表示面の中心の位置は、当該方向における前記空間の中心の位置を挟む位置となっているものである。
【発明の効果】
【００１３】
本発明によれば、測定された生体情報の表示に自由度を持たせて、被測定者と第三者の双方にとって容易に生体情報の確認を行うことができ、かつ、被測定者のプライバシーにも配慮することのできる生体情報測定装置を提供することができる。
【図面の簡単な説明】
【００１４】
【図１】本発明の一実施形態を説明するための血圧測定装置２００の構成を示す外観図である。
【図２】図１に示す血圧測定装置２００が手首に装着された状態を手のひら側から見た図である。
【図３】図１に示す血圧測定装置２００が手首に装着された状態を手の甲側から見た図である。
【図４】図１に示す血圧測定装置２００の圧脈波検出部１００の構成を示す外観図である。
【図５】図４に示す圧脈波検出部１００の拡大図である。
【図６】図４に示す装着状態での圧脈波検出部１００を利用者の指先側から見た図である。
【図７】図４に示す装着状態での圧脈波検出部１００を手首との接触部位側から見た図である。
【図８】血圧測定装置の圧脈波検出部１００以外の部分のブロック構成を示す図である。
【図９】本実施形態の血圧測定装置の連続血圧測定モードにおける校正用データ生成までの動作を説明するためのフローチャートである。
【図１０】２つのセンサ部の一方が橈骨動脈を閉塞できていない状態の例を示す図である。
【図１１】センサ部６による手首への押圧力を変化させていったときに、センサ部６の各圧力センサにより検出される圧脈波の振幅値の一例を示した図である。
【図１２】圧脈波検出部１００を手首に当てて、空気袋２によりセンサ部６を手首に向けて押圧していく状態を示す図である。
【図１３】手首への押圧力の変化と、最適圧力センサにより検出される圧脈波の変化の一例を示した図である。
【図１４】脈波包絡線データの一例を示す図である。
【図１５】本実施形態の血圧測定装置の連続血圧測定モードにおける連続血圧測定動作を説明するためのフローチャートである。
【図１６】図１に示す血圧測定装置２００の表示部１０４と表示部１０５の画面表示例を示す図である。
【図１７】図１に示す血圧測定装置２００の表示部１０４と表示部１０５の別の画面表示例を示す図である。
【図１８】図１に示す血圧測定装置２００の外観の変形例を示す図である。
【発明を実施するための形態】
【００１５】
以下、本発明の実施形態について図面を参照して説明する。
【００１６】
図１は、本発明の一実施形態を説明するための生体情報測定装置の一例である血圧測定装置２００の構成を示す側面図である。図１に示す血圧測定装置２００は、血圧測定対象となる橈骨動脈が存在する被測定者の手首に装着して用いられる手首装着型の生体情報測定装置である。
【００１７】
血圧測定装置２００の筐体は、本体部１０１と、本体部１０２と、本体部１０１と本体部１０２を連結するヒンジ部１０３と、を備える。ヒンジ部１０３により、本体部１０２は本体部１０１に対して回動自在に連結されている。
【００１８】
本体部１０１，１０２の内周面は手首Ｈの外形に沿った形状となっている。本体部１０１のヒンジ部１０３側とは反対側の端部が、本体部１０２に最も近付けられた状態で、本体部１０１と本体部１０２の間には、被測定者の手首Ｈが挿入可能な空間Ｋａが形成される。
【００１９】
空間Ｋａに手首Ｈが挿入された状態で、本体部１０１と本体部１０２がベルト１０６によって固定されることにより、血圧測定装置２００は手首Ｈに固定（装着）される。
【００２０】
本体部１０１は、血圧測定装置２００が手首Ｈに装着された状態で手首Ｈと対向する位置に設けられた圧脈波検出部１００と、外周面に設けられた第一の表示部として機能する表示部１０４と、を備える。
【００２１】
本体部１０２は、外周面に設けられた第二の表示部として機能する表示部１０５を備える。
【００２２】
表示部１０４と表示部１０５は、表示部１０４の表示面の中心と表示部１０５の表示面の中心とを結ぶ直線Ｌ上に、本体部１０１と本体部１０２とヒンジ部１０３からなる筐体によって形成される空間Ｋａが存在するように配置されている。また、表示部１０４の表示面の中心と表示部１０５の表示面の中心は、血圧測定装置２００が被測定者の手首に装着された状態で、被測定者の手のひらに垂直な方向Ｄにおける位置が異なっている。
【００２３】
図１の例では、方向Ｄにおいて、空間Ｋａの中心位置よりも手のひら側に表示部１０４が配置され、空間Ｋａの中心位置よりも手の甲側に表示部１０５が配置されている。
【００２４】
図２は、血圧測定装置２００が被測定者の左手首に装着された状態を手のひら側から見た図である。図２に示すように、本体部１０１の外周面には表示部１０４が設けられており、手のひら側から表示部１０４を視認可能である。
【００２５】
図３は、血圧測定装置２００が被測定者の左手首に装着された状態を手の甲側から見た図である。図３に示すように、本体部１０２の外周面には表示部１０５が設けられており、手の甲側から表示部１０５を視認可能である。
【００２６】
図４は、図２，３に示す血圧測定装置２００の手首装着状態における圧脈波検出部１００の構成を示す外観図である。図４では、血圧測定装置２００のうち圧脈波検出部１００のみを図示している。
【００２７】
図５は、図４に示す圧脈波検出部１００の拡大図である。図６は、図４に示す装着状態での圧脈波検出部１００を被測定者の指先側から見た図である。図７は、図４に示す装着状態での圧脈波検出部１００を手首との接触部位側から見た図である。図４〜図７は、圧脈波検出部１００を模式的に示したものであり、各部の寸法や配置等を限定するものではない。
【００２８】
圧脈波検出部１００は、空気袋２を内蔵する筐体１と、空気袋２に固定された平面状の部材である平板部３と、平板部３に対して２軸回転機構５ａにより２つの軸の各々を中心に回転可能に支持された回動部５と、回動部５の平板部３側とは反対側の平面に設けられたセンサ部６とを備える。
【００２９】
空気袋２は、血圧測定装置２００が手首に装着された状態で、センサ部６の押圧面６ｂを生体部位（手首）の皮膚下の動脈に対して押圧する押圧部として機能する。押圧部は、センサ部６の押圧面６ｂを動脈に対して押圧できる機構であれば何でもよく、空気袋を用いたものには限定されない。
【００３０】
空気袋２は、図示しないポンプにより、内部の空気量が制御されることで、空気袋２に固定された平板部３を平板部３の表面（回動部５側の平面）に垂直な方向に移動させる。
【００３１】
図４に示す装着状態では、圧脈波検出部１００に含まれるセンサ部６の押圧面６ｂが被測定者の手首の皮膚に接触する。この状態で空気袋２に注入される空気量が増えることで、空気袋２の内圧が増加し、センサ部６は手首下の橈骨動脈Ｔに向けて押圧される。以下、センサ部６による橈骨動脈Ｔへの押圧力は、空気袋２の内圧と等価であるとして説明する。
【００３２】
図７に示すように、押圧面６ｂには、図４に示す装着状態において、装着部位に存在する橈骨動脈Ｔの伸びる方向Ａと交差（図４の例では直交）する方向Ｂに並ぶ複数個の圧力検出素子としての圧力センサ６ａが形成されている。また、押圧面６ｂには、方向Ｂに並ぶ複数個の圧力センサ７ａが形成されている。各圧力センサ６ａと、この圧力センサ６ａと方向Ｂでの位置が同じ圧力センサ７ａとがペアを構成し、押圧面６ｂには、このペアが方向Ｂに複数配列された構成となっている。圧脈波検出部１００に含まれる圧力センサ（複数個の圧力センサ６ａと複数個の圧力センサ７ａ）は圧力検出部を構成する。
【００３３】
押圧面６ｂは、単結晶シリコン等から成る半導体基板の表面であり、圧力センサ６ａ，７ａは、この半導体基板表面に形成された感圧ダイオード等で構成される。
【００３４】
圧力センサ６ａ（７ａ）は、その配列方向が橈骨動脈Ｔと交差（略直交）するように橈骨動脈Ｔに対して押圧されることにより、橈骨動脈Ｔから発生して皮膚に伝達される圧力振動波、すなわち圧脈波を検出する。圧脈波は、生体信号の１つを構成する。
【００３５】
各圧力センサ６ａ（７ａ）の配列方向の間隔は、橈骨動脈Ｔ上に必要かつ充分な数が配置されるように充分小さくされている。各圧力センサ６ａ（７ａ）の配列長さは、橈骨動脈Ｔの径寸法より必要かつ充分に大きくされている。
【００３６】
図７に示すように、２軸回転機構５ａは、空気袋２による平板部３の押圧方向に直交する２つの回転軸Ｘ，Ｙの各々を中心に回動部５を回転させるための機構である。
【００３７】
２軸回転機構５ａは、平板部３の表面上に設定された互いに直交する２つの回転軸Ｘ，Ｙを有し、回転軸Ｘ，Ｙは、それぞれ、後述する回転駆動部１０によって回転駆動される。
【００３８】
回転軸Ｙは、押圧面６ｂに形成された複数の圧力センサ６ａ（７ａ）の配列方向に伸びる第一の軸である。回転軸Ｙは、図７の平面視において、複数の圧力センサ６ａからなる素子列と、複数の圧力センサ７ａからなる素子列との間（図７の例では中間）に設定されている。
【００３９】
回転軸Ｘは、押圧面６ｂに形成された複数の圧力センサ６ａ（７ａ）の配列方向と直交する方向に伸びる第二の軸である。回転軸Ｘは、図７の例では、複数の圧力センサ６ａからなる素子列と複数の圧力センサ７ａからなる素子列をそれぞれ均等に２分割する直線上に設定されている。
【００４０】
回動部５が回転軸Ｘを中心に回転することで、押圧面６ｂは、回転軸Ｘの軸周りに回転する。また、回動部５が回転軸Ｙを中心に回転することで、押圧面６ｂは、回転軸Ｙの軸周りに回転する。
【００４１】
図８は、血圧測定装置２００のブロック構成を示す図である。
【００４２】
血圧測定装置は、圧脈波検出部１００と、回転駆動部１０と、空気袋駆動部１１と、装置全体を統括制御する制御部１２と、表示部１０４と、表示部１０５と、操作部１４と、メモリ１５と、を備える。
【００４３】
回転駆動部１０は、圧脈波検出部１００の２軸回転機構５ａの各回転軸Ｘ，Ｙに接続されたアクチュエータである。回転駆動部１０は、制御部１２の指示にしたがい各回転軸Ｘ，Ｙを回転駆動して、押圧面６ｂを回転軸Ｘの軸周りに回転させたり、押圧面６ｂを回転軸Ｙの軸周りに回転させたりする。
【００４４】
空気袋駆動部１１は、制御部１２の指示のもと、空気袋２に注入する空気量（空気袋２の内圧）を制御する。
【００４５】
表示部１０４と表示部１０５は、測定された血圧値等の各種情報を表示するためのものであり、例えば液晶表示素子や有機電界発光表示素子、電子ペーパ等により構成される。
【００４６】
操作部１４は、制御部１２に対する指示信号を入力するためのインターフェースであり、血圧測定を含む各種動作の開始を指示するためのボタン等により構成される。
【００４７】
メモリ１５は、制御部１２に所定の動作をさせるためのプログラムやデータを記憶するＲＯＭ（Ｒｅａｄ  Ｏｎｌｙ  Ｍｅｍｏｒｙ）、ワークメモリとしてのＲＡＭ（Ｒａｎｄａｍ  Ａｃｃｅｓｓ  Ｍｅｍｏｒｙ）、及び、測定した血圧データ等の各種情報を記憶するフラッシュメモリ等を含む。
【００４８】
制御部１２は、メモリ１５のＲＯＭに記憶されたプログラムを実行することにより、押圧制御部、生体情報測定部、回転制御部、校正用データ生成部、及び表示制御部として機能する。
【００４９】
押圧制御部は、空気袋駆動部１１を制御して空気袋２内の空気量を調整することで、押圧面６ｂによる手首への押圧力を制御する。
【００５０】
生体情報測定部は、押圧面６ｂを橈骨動脈Ｔに押圧した状態で、押圧面６ｂに形成された圧力センサ６ａ，７ａにより検出される圧脈波に基づいて、橈骨動脈Ｔ内の第一の血圧値を算出する。
【００５１】
具体的には、生体情報測定部は、空気袋駆動部１１によって橈骨動脈Ｔへの押圧力が変化（増加又は減少）させられていく過程で圧力センサ６ａ，７ａにより検出される圧脈波に基づいて、橈骨動脈Ｔ内の第一の血圧値を算出する。
【００５２】
校正データ生成部は、第一の血圧算出部により算出された第一の血圧値を用いて校正用データを生成する。
【００５３】
回転制御部は、空気袋駆動部１１によって橈骨動脈Ｔへの押圧力が増加させられていく過程で圧力センサ６ａ，７ａにより検出された圧脈波に基づいて、回転駆動部１０による押圧面６ｂの回転の要否を判定する。そして、回転制御部は、回転が必要と判定したときに、回転駆動部１０に押圧面６ｂを回転させる。
【００５４】
生体情報測定部は、橈骨動脈Ｔの一部を平坦に変形させるための最適押圧力で押圧面６ｂが橈骨動脈Ｔに押圧された状態で、圧力センサ６ａ，７ａにより１拍毎に検出される圧脈波を校正用データによって校正することで、１拍毎に橈骨動脈Ｔ内の第二の血圧値を算出する。また、生体情報測定部は、１拍毎に検出される圧脈波に基づいて、脈拍数を算出する。
【００５５】
表示制御部は、表示部１０４と表示部１０５の表示制御を行う。
【００５６】
以下、本実施形態の血圧測定装置の動作について説明する。本実施形態の血圧測定装置は、心臓の拍動の１拍毎に血圧値（ＳＢＰ（Ｓｙｓｔｏｌｉｃ  Ｂｌｏｏｄ  ｐｒｅｓｓｕｒｅ）、いわゆる最高血圧と、ＤＢＰ（Ｄｉａｓｔｏｌｉｃ  Ｂｌｏｏｄ  ｐｒｅｓｓｕｒｅ）、いわゆる最低血圧を測定して表示部１０４に表示する連続血圧測定モードを有する。
【００５７】
図９は、血圧測定装置２００の連続血圧測定モードにおける校正用データ生成までの動作を説明するためのフローチャートである。
【００５８】
なお、圧脈波検出部１００の回動部５は、血圧測定指示がなされる前の初期状態では、回転量が例えばゼロに設定され、押圧面６ｂが平板部３と平行になっているものとする。
【００５９】
ここでは、回転量をゼロとした状態を初期状態とするが、これに限らない。例えば、血圧測定装置が手首に装着された状態で、その手首の形状に応じて、押圧面６ｂが皮膚に均等に接触するように、回転駆動部１０が押圧面６ｂを回転させた状態を初期状態としてもよい。
【００６０】
血圧測定指示があると、制御部１２は、空気袋駆動部１１を制御して空気袋２への空気の注入を開始し、押圧面６ｂによる橈骨動脈Ｔへの押圧力を増加させる（ステップＳ１）。
【００６１】
押圧力の増加過程において、制御部１２は、橈骨動脈Ｔの閉塞が開始されるのに十分な時間が経過した後の任意のタイミング（例えば周期的なタイミング）で、それまでに各圧力センサ６ａにより検出されてメモリ１５に記憶された圧脈波（圧脈波情報Ｉ１とする）のうち、検出時刻が新しい順に複数の圧脈波情報Ｉ１を取得する。また、制御部１２は、上記任意のタイミングで、それまでに各圧力センサ７ａにより検出されてメモリ１５に記憶された圧脈波（圧脈波情報Ｉ２とする）のうち、検出時刻が新しい順に複数の圧脈波情報Ｉ２を取得する（ステップＳ１Ａ）。
【００６２】
制御部１２は、ステップＳ１Ａで取得した複数の圧脈波情報Ｉ１のうち、時刻ｔ１に検出された各圧力センサ６ａの圧脈波の例えば振幅の平均値Ａｖｅ１を算出し、時刻ｔ１よりも後の時刻ｔ２に検出された各圧力センサ６ａの圧脈波の振幅の平均値Ａｖｅ２を算出する。また、制御部１２は、ステップＳ１Ａで取得した複数の圧脈波情報Ｉ２のうち、時刻ｔ１に検出された各圧力センサ７ａの圧脈波の振幅の平均値Ａｖｅ３を算出し、時刻ｔ２に検出された各圧力センサ７ａの圧脈波の振幅の平均値Ａｖｅ４を算出する。そして、制御部１２は、同じ時刻に対して算出した平均値の比（（Ａｖｅ１／Ａｖｅ３）と（Ａｖｅ２／Ａｖｅ４））を算出する。
【００６３】
制御部１２は、複数のタイミングについて算出した比の変化に基づいて、回転駆動部１０による回動部５の回転を行うべきか否かを判定する。つまり、制御部１２は、押圧力の増加過程における複数タイミングで圧力センサ６ａ，７ａにより検出された圧脈波に基づいて、回動部５を回転させるか否かを判定する（ステップＳ１Ｂ）。
【００６４】
例えば、複数のタイミングについて算出した比が単調増加している場合には、圧力センサ７ａからなる素子列は橈骨動脈Ｔを閉塞する方向に向かっているが、圧力センサ６ａからなる素子列は橈骨動脈Ｔを閉塞する方向に向かっていないと判定できる。このため、制御部１２は、回動部５の回転は必要と判定する。
【００６５】
また、複数のタイミングについて算出した比が単調減少している場合には、圧力センサ６ａからなる素子列は橈骨動脈Ｔを閉塞する方向に向かっているが、圧力センサ７ａからなる素子列は橈骨動脈Ｔを閉塞する方向に向かっていないと判定できる。このため、制御部１２は、回動部５の回転は必要と判定する。
【００６６】
また、複数のタイミングについて算出した比がほとんど変化していない場合には、２つの素子列が同じように橈骨動脈Ｔの圧脈波を検出していると判定できる。このため、制御部１２は、回動部５の回転は不要と判定する。
【００６７】
また、複数のタイミングについて算出した比が増減を繰り返している場合には、２つの素子列が橈骨動脈Ｔを十分に押圧できているか、一方の素子列だけが橈骨動脈Ｔを十分に押圧できていないのかの判定ができない。このため、制御部１２は、回動部５の回転は不要と判定する。
【００６８】
このように、制御部１２は、複数のタイミングについて算出した比の変動に基づいて回転の要否を判定する。なお、この比の代わりに、平均値Ａｖｅ１（Ａｖｅ２）と平均値Ａｖｅ３（Ａｖｅ４）の差分（符号を考慮した値）を用いてもよい。
【００６９】
図１０（ａ）は、圧力センサ７ａからなる素子列によって橈骨動脈Ｔが閉塞されているが、圧力センサ６ａからなる素子列によっては橈骨動脈Ｔが閉塞されていない状態の例を示す図である。図１０（ａ）の状態では、圧力センサ６ａからなる素子列と橈骨動脈Ｔの距離が、圧力センサ７ａからなる素子列と橈骨動脈Ｔの距離よりも大きくなっている。
【００７０】
各圧力センサ６ａにより検出された圧脈波の振幅平均値を６Ａとし、各圧力センサ７ａにより検出された圧脈波の振幅平均値を７Ａとすると、図１０の状態では、６Ａと７Ａの比である（６Ａ／７Ａ）は１よりも十分に大きくなる。この状態では、圧力センサ６ａからなる素子列を橈骨動脈Ｔに近づければ、（６Ａ／７Ａ）は１に近づく。
【００７１】
そこで、制御部１２は、ステップＳ１Ｂにおいて回動部５の回転軸Ｙ周りの回転が必要と判定したときは、最新時刻における（６Ａ／７Ａ）の値に応じて回動部５の回転軸Ｙ周りの回転制御を行う（ステップＳ１Ｃ）。
【００７２】
具体的には、制御部１２は、（６Ａ／７Ａ）の値と回動部５の回転量との関係を示すデータテーブル（製品出荷前に実験的に求めてメモリ１５に記憶しておく）を参照し、（６Ａ／７Ａ）の値に対応する回転量を読みだして、読みだした回転量を設定する。
【００７３】
また、制御部１２は、平均値６Ａと平均値７Ａのどちらが大きいかを判定し、平均値６Ａが大きい場合には、圧力センサ６ａからなる素子列と橈骨動脈Ｔとの距離を縮めるべく、回転軸Ｙ周りの回動部５の回転方向を図１０において反時計回りに設定する。
【００７４】
制御部１２は、平均値７Ａが大きい場合には、圧力センサ７ａからなる素子列と橈骨動脈Ｔとの距離を縮めるべく、回転軸Ｙ周りの回動部５の回転方向を図１０において時計回りに設定する。
【００７５】
制御部１２は、このようにして設定した回転方向及び回転量によって回動部５を回転させる。これにより、図１０（ｂ）のように、押圧面６ｂと橈骨動脈Ｔとを平行にすることができ、２つの素子列の各々によって橈骨動脈Ｔを閉塞した状態を得ることができる。
【００７６】
制御部１２は、ステップＳ１Ｃの後と、ステップＳ１Ｂにおいて回動部５の回転が不要と判定したときは、ステップＳ２に処理を移行する。ステップＳ２において、制御部１２は、橈骨動脈Ｔが閉塞されるのに十分な圧力（必要押圧力）に押圧力が到達したか否かを判定する。制御部１２は、押圧力が必要押圧力に到達した場合（ステップＳ２：ＹＥＳ）に、空気袋駆動部１１を制御して空気袋２への空気の注入を停止させる（ステップＳ３）。制御部１２は、押圧力が必要押圧力に達していない場合はステップＳ１Ａに処理を戻す。
【００７７】
ステップＳ３の後、制御部１２は、ステップＳ１〜ステップＳ３の間において各圧力センサ６ａにより同時刻に検出された圧脈波の振幅と、その各圧力センサ６ａの押圧面６ｂ上における位置との関係を示す振幅分布曲線、いわゆるトノグラムを求める。また、制御部１２は、各圧力センサ７ａにより同時刻に検出された圧脈波の振幅と、その各圧力センサ７ａの押圧面６ｂ上における位置との関係を示すトノグラムを求める。
【００７８】
制御部１２は、圧力センサ６ａからなる素子列に対して生成したトノグラムを、この素子列の識別情報、圧脈波の検出時刻、及びこの検出時刻における空気袋２による押圧方向への押圧力（空気袋２の内圧）と対応付けてメモリ１５に記憶する。
【００７９】
同様に、制御部１２は、圧力センサ７ａからなる素子列に対して生成したトノグラムを、この素子列の識別情報、圧脈波の検出時刻、及びこの検出時刻における空気袋２による押圧方向への押圧力と対応付けてメモリ１５に記憶する。
【００８０】
そして、制御部１２は、メモリ１５に記憶したトノグラムのデータを用いて、押圧面６ｂの手首への押圧中における橈骨動脈Ｔの方向Ｂへの移動量を算出する（ステップＳ６）。
【００８１】
図１１（ａ），（ｂ）は、センサ部６による手首への押圧力を変化させていったときに、センサ部６の各圧力センサ６ａにより検出される圧脈波の振幅値の一例を示した図である。図１１（ａ），（ｂ）において、横軸は各圧力センサ６ａの方向Ｂでの位置を示し、縦軸は押圧力を示す。
【００８２】
図１１（ａ），（ｂ）では、各位置にある圧力センサ６ａにより検出された圧脈波の振幅を、その大きさによって色分けしている。
【００８３】
符号Ａ１は、振幅が閾値ＴＨ１以上となっている部分である。符号Ａ２は、振幅が閾値ＴＨ２以上閾値ＴＨ１未満となっている部分である。符号Ａ３は、振幅が閾値ＴＨ３以上閾値ＴＨ２未満となっている部分である。符号Ａ４は、振幅が閾値ＴＨ４以上閾値ＴＨ３未満となっている部分である。符号Ａ５は、振幅が閾値ＴＨ４未満となっている部分である。なお、閾値ＴＨ１＞閾値ＴＨ２＞閾値ＴＨ３＞閾値ＴＨ４である。
【００８４】
図１１（ａ）は、押圧力が増加していく過程で、閾値ＴＨ１以上の振幅の圧脈波を検出している圧力センサ６ａの位置がほぼ変化しない例を示している。これに対し、図１１（ｂ）は、押圧力が増加していく過程で、閾値ＴＨ１以上の振幅の圧脈波を検出している圧力センサ６ａの位置が左にずれていく例を示している。
【００８５】
図１２は、圧脈波検出部１００を手首に当てて、空気袋２によりセンサ部６を手首に向けて押圧していく状態を示す図である。図１２において、符号ＴＢは橈骨を示し、符号Ｋは腱を示す。
【００８６】
図１２（ａ）に示すようにセンサ部６を手首に押圧していくと、図１２（ｂ）に示すように、橈骨動脈Ｔが方向Ｂに移動してしまうことがある。
【００８７】
図１２（ｂ）のように、押圧中に橈骨動脈Ｔが方向Ｂに移動してしまうと、押圧中の圧脈波の振幅値の分布は図１１（ｂ）のようになる。つまり、閾値ＴＨ１以上の振幅値が初めて検出された押圧力における当該振幅値を検出した圧力センサ６ａの位置と、閾値ＴＨ１以上の振幅値が最後に検出された押圧力における当該振幅値を検出した圧力センサ６ａの位置とには大きなずれが生じることになる。
【００８８】
図１１（ａ）の例では、閾値ＴＨ１以上の振幅値が初めて検出された押圧力における当該振幅値を検出した圧力センサ６ａの位置と、閾値ＴＨ１以上の振幅値が最後に検出された押圧力における当該振幅値を検出した圧力センサ６ａの位置とには大きなずれは生じていない。つまり、押圧力を増加させていく過程において、橈骨動脈Ｔが方向Ｂにほぼ移動することなく閉塞されていっていることが分かる。
【００８９】
このように、押圧力が変化する過程におけるトノグラムの変化をみることで、橈骨動脈Ｔについて、方向Ｂでの位置変化を検出することができる。図１２（ｂ）に示す状態のまま、押圧力を増加させて橈骨動脈Ｔを閉塞すると、腱Ｋ等の生体組織の影響を受けて、正確なトノグラムを取得できない可能性が生じる。
【００９０】
そこで、制御部１２は、押圧力とトノグラムの関係を示す図１１のデータから、閾値ＴＨ１以上の振幅値が初めて検出された押圧力における当該振幅値を検出した圧力センサ６ａの位置と、閾値ＴＨ１以上の振幅値が最後に検出された押圧力における当該振幅値を検出した圧力センサ６ａの位置との差（つまり橈骨動脈Ｔの方向Ｂへの移動量）をステップＳ６にて算出し、算出した差が閾値ＴＨａ以上か否かを判定する（ステップＳ７）。
【００９１】
２つの位置の差が閾値ＴＨａ以上であれば（ステップＳ７：ＹＥＳ）、制御部１２は、ステップＳ８において図１１（ｂ）の矢印で示したベクトルを求める。２つの位置の差が閾値ＴＨａ未満であれば（ステップＳ７：ＮＯ）、ステップＳ９の処理が行われる。
【００９２】
メモリ１５には、図１１に示したベクトルの向き及び大きさと、回動部５を回転軸Ｘ周りにどの方向にどの程度回転させるべきかを示す情報とを、予め実験的に求めて対応付けて記憶しておく。
【００９３】
そして、制御部１２は、求めたベクトルの大きさ及び向きに対応する回転方向及び回転量の情報をメモリ１５から取得し、取得した情報を回転駆動部１０に送信する。そして、回転駆動部１０は、受信した情報にしたがって、図１２（ｃ）に示したように回動部５を回転させる（ステップＳ８）。
【００９４】
以上のように、血圧測定指示があると、制御部１２は、空気袋２による押圧力の増加過程における複数タイミングで各圧力センサ６ａ，７ａにより検出された圧脈波に基づいて、回動部５を回転させる必要があるか否かをステップＳ１Ｂ及びステップＳ７にて判定する。そして、制御部１２は、回動部５を回転させる必要がある場合（ステップＳ１Ｂ：ＹＥＳ，ステップＳ７：ＹＥＳ）には、各圧力センサ６ａ，７ａにより検出された圧脈波に基づいて、回動部５を回転させる。
【００９５】
ステップＳ８に続くステップＳ９では、制御部１２が、空気袋駆動部１１を制御して、空気袋２内の空気を排出させ、橈骨動脈Ｔへの押圧力の減少を開始する。
【００９６】
制御部１２は、ステップＳ９で押圧力の減少を開始し、押圧力を最小値まで減少させた後、全ての圧力センサ６ａ，７ａの中から最適圧力センサを決定する。制御部１２は、例えば、押圧力の減少過程において最大振幅の圧脈波を検出した圧力センサを最適圧力センサとして決定する。
【００９７】
橈骨動脈Ｔが平坦になった部分の真上に位置する圧力センサによって検出される圧脈波は、橈骨動脈Ｔの壁の張力の影響がなく、最も振幅が大きくなる。また、この圧脈波は橈骨動脈Ｔ内の血圧値との相関が最も高い。このような理由により、最大振幅の圧脈波を検出した圧力センサを最適圧力センサとして決定する。
【００９８】
なお、最大振幅の圧脈波を検出した圧力センサが複数ある場合もあり、その場合には、この複数の圧力センサを最適圧力センサとして扱い、この複数の圧力センサの各々で検出された圧脈波の例えば平均を、この最適圧力センサにより検出される圧脈波として扱えばよい。
【００９９】
そして、制御部１２は、押圧力の減少過程でその最適圧力センサにより検出された圧脈波から脈波包絡線データを生成する（ステップＳ１０）。
【０１００】
脈波包絡線データとは、センサ部６による橈骨動脈Ｔへの押圧力（空気袋２の内圧）と、その押圧力で最適圧力センサが橈骨動脈Ｔに押圧された状態で最適圧力センサにより検出される圧脈波の振幅とを対応付けたデータである。
【０１０１】
図１３は、橈骨動脈Ｔへの押圧力の変化と、最適圧力センサにより検出される圧脈波の変化の一例を示した図である。図１３において、符号Ｐで示す直線が押圧力を示し、符号Ｍで示す波形が圧脈波を示している。図１３の下段には、１つの圧脈波の拡大図を図示している。
【０１０２】
図１３に示したように、圧脈波において、立ち上がり点での圧力を最小値Ｍｍｉｎといい、立ち下がり点での圧力を最大値Ｍｍａｘという。圧脈波の振幅は、最大値Ｍｍａｘから最小値Ｍｍｉｎを引いた値を言う。最大値Ｍｍａｘと最小値Ｍｍｉｎは、それぞれ、圧脈波の形状を特定する情報の１つである。
【０１０３】
図１３に示したように、押圧力が減少を開始して橈骨動脈Ｔの閉塞状態が解除されると、最適圧力センサにより検出される圧脈波は振幅が急激に大きくなり、その後、押圧力の減少に伴って図に示したように変化していく。制御部１２は、ステップＳ１０において、図１３に示す押圧力と圧脈波の関係から、図１４に示すような脈波包絡線データを生成する。
【０１０４】
制御部１２は、図１４に示す脈波包絡線データを生成すると、生成した脈波包絡線データからＳＢＰとＤＢＰを算出する（ステップＳ１１）。
【０１０５】
例えば、制御部１２は、図１４に示す脈波包絡線において、押圧力が減少を開始してから圧脈波振幅が急激に上昇を開始したときの押圧力、すなわち、押圧力が減少を開始してから最適圧力センサにより検出される圧脈波振幅が動脈閉塞状態ではなくなったと判断できる閾値ＴＨｂを初めて超えた時点での押圧力をＳＢＰとして決定する。または、制御部１２は、脈波包絡線データにおいて隣接する２つの振幅値の差分を算出し、この差分が閾値を超えた時点での押圧力をＳＢＰとして決定する。
【０１０６】
更に、制御部１２は、図１４に示す脈波包絡線において、圧脈波振幅の最大値を脈圧（ＰＰ）とし、求めたＳＢＰ及びＰＰと、ＳＢＰ−ＤＢＰ＝ＰＰの関係式により、ＤＢＰを算出する。
【０１０７】
ステップＳ１１の後、制御部１２は、ステップＳ９の減圧過程で決定した最適圧力センサにより検出された各圧脈波のいずれか（例えば、最大振幅となった圧脈波）の最大値Ｍｍａｘ及び最小値Ｍｍｉｎと、ステップＳ１１で算出したＳＢＰ及びＤＢＰと、を用いて、後述する連続血圧測定時に用いる校正用データを生成してメモリ１５に記憶する（ステップＳ１２）。
【０１０８】
ａを一次関数の傾き、ｂを一次関数の切片とすると、
ＳＢＰ＝ａ×Ｍｍａｘ＋ｂ  ・・・（１）
ＤＢＰ＝ａ×Ｍｍｉｎ＋ｂ  ・・・（２）
の関係が成り立つ。
【０１０９】
制御部１２は、式（１）と式（２）に、ステップＳ１１で求めたＳＢＰ及びＤＢＰと、図１４の脈波包絡線における振幅が最大となった圧脈波の最大値Ｍｍａｘ及び最小値Ｍｍｉｎとを代入して、傾きａと切片ｂを算出する。そして、算出した係数ａ，ｂと、式（１），（２）とを校正用データとしてメモリ１５に記憶する。
【０１１０】
図１５は、本実施形態の血圧測定装置の連続血圧測定モードにおける連続血圧測定動作を説明するためのフローチャートである。
【０１１１】
図９に示したフローで校正用データを生成した後、制御部１２は、空気袋駆動部１１を制御し、空気袋２の内圧を上昇させて、押圧面６ｂによる橈骨動脈Ｔへの押圧力を増加させる（ステップＳ２１）。
【０１１２】
次に、制御部１２は、各圧力センサ６ａ，７ａのうち、押圧力の増加過程において最大振幅の圧脈波を検出した圧力センサを最適圧力センサとして決定する。また、制御部１２は、この最大振幅の圧脈波が検出された時点での空気袋２の内圧を最適押圧力として決定する（ステップＳ２２）。
【０１１３】
次に、制御部１２は、空気袋２の内圧を解放して初期状態に戻し（ステップＳ２３）、その後、空気袋２の内圧をステップＳ２２で決定した最適押圧力まで上昇させて、この最適押圧力を保持する（ステップＳ２４）。
【０１１４】
次に、制御部１２は、最適押圧力で押圧面６ｂが橈骨動脈Ｔに押圧された状態で、ステップＳ２２で決定した最適圧力センサにより検出される圧脈波を取得する（ステップＳ２５）。
【０１１５】
そして、制御部１２は、取得した１つの圧脈波を、図９のステップＳ１２で生成した校正用データを用いて校正して、第二の血圧値であるＳＢＰ及びＤＢＰを算出し、算出したＳＢＰ及びＤＢＰを表示部１０４に表示させる（ステップＳ２６）。
【０１１６】
具体的には、制御部１２は、ステップＳ２５で取得した圧脈波の最大値Ｍｍａｘと、ステップＳ１２で算出した係数ａ，ｂを上述した式（１）に代入してＳＢＰを算出し、ステップＳ２５で取得した圧脈波の圧力最小値Ｍｍｉｎと、ステップＳ１２で算出した係数ａ，ｂを上述した式（２）に代入してＤＢＰを算出する。
【０１１７】
また、制御部１２は、ステップＳ２５で取得した圧脈波を時刻と対応付けてメモリに記憶し、過去に記憶した複数の圧脈波の所定時間（例えば１分間）当たりの数を脈拍数として算出する。そして、制御部１２は、算出した脈拍数に基づく脈拍リズムを数字以外で通知するための情報を表示部１０５に表示させると共に、算出した脈拍数を表示部１０４に表示させる（ステップＳ２７）。
【０１１８】
ステップＳ２７の後、制御部１２は、連続血圧測定の終了指示があれば（ステップＳ２８：ＹＥＳ）処理を終了し、終了指示がなければ（ステップＳ２８：ＮＯ）、ステップＳ２５に処理を戻す。
【０１１９】
図１６は、表示部１０４と表示部１０５の画面表示例を示す図である。
【０１２０】
図１６に示すように、ステップＳ２６で算出された１拍毎のＳＢＰ（図の例では“１１０”）及びＤＢＰ（図の例では“８５”）と、ステップＳ２７で算出された脈拍数（図の例では“６０”）は表示部１０４に表示される。
【０１２１】
また、ステップＳ２７で算出された脈拍数にしたがい、表示部１０５には、脈拍リズムに応じて点滅するアイコン１０５Ａが表示される。ステップＳ２７で算出された脈拍数が６０であれば、アイコン１０５Ａは、１分間に６０回点滅することになる。なお、制御部１２は、生体情報とは関係のない情報（図１６の例では日時の情報）も表示部１０５に表示させる。
【０１２２】
以上のように、血圧測定装置２００では、連続血圧測定モードにおいて、１拍毎に算出される血圧値と脈拍数が表示部１０４にのみ表示され、表示部１０５には表示されない。表示部１０４は、被測定者の手のひら側から視認可能な位置にあるため、被測定者以外の人からは見えにくい。したがって、プライバシーを確保することができる。
【０１２３】
また、血圧測定装置２００では、連続血圧測定モードにおいて、血圧値と同時に測定される脈拍数に応じて、表示部１０５にアイコン１０５Ａが点滅表示される。表示部１０５は、被測定者の手の甲側から視認可能な位置に表示面があるため、被測定者は気軽に表示部１０５を見ることができる。そして、表示部１０５に表示されるアイコン１０５Ａを見ることで、自分の脈拍が速いか遅いかを認識することができる。また、圧脈波が検出されていないと脈拍数の算出もなされず、アイコン１０５Ａが表示されなくなる。このため、アイコン１０５Ａを見ることで、血圧測定がきちんとなされているかどうかを認識することができる。
【０１２４】
なお、アイコン１０５Ａの点滅は、血圧測定装置２００の所持者以外の人にとっては、何のための表示なのかはわからない。このため、アイコン１０５Ａが他人に見られてしまっても、被測定者のプライバシーは十分に守ることができる。
【０１２５】
血圧測定装置２００は、任意のタイミングで血圧を測定して利用者に提示するモードを設けることもできる。このモードに設定されたときには、制御部１２が図９のステップＳ１〜ステップＳ１１までの処理を行うことで、利用者に煩わしい思いをさせることなく、短時間で血圧を測定して提示することが可能となる。
【０１２６】
このモードにおいては、他人に見られないような状況で血圧測定が行われると想定される。このため、表示部１０５と表示部１０４のどちらに血圧値及び脈拍数を表示させても構わない。そこで、制御部１２は、血圧値及び脈拍数を表示部１０４にのみ表示させる第一の制御と、血圧値及び脈拍数を表示部１０４と表示部１０５の各々に表示させる第二の制御と、を測定モードに応じて選択して実行するのが好ましい。例えば、制御部１２は、上記モードでは第二の制御を行い、連続血圧測定モードでは第一の制御を行えばよい。
【０１２７】
また、血圧測定装置２００を入院患者に装着させる場合を考えると、医療従事者が任意のタイミングで血圧及び脈拍数の測定を行うことが想定される。このような場合に、表示部１０４にだけ血圧値及び脈拍数が表示されるのでは使い勝手がよくない。そこで、医療従事者が任意に測定を行いたい場合には、操作部１４により特定の操作を行うことで、この操作に応じて制御部１２が第二の制御を行う。
【０１２８】
図１７は第二の制御によって表示部１０４と表示部１０５に表示される画面例を示している。図１７の例では、測定された血圧値及び脈拍数と日時の情報が表示部１０４と表示部１０５の各々に表示されている。
【０１２９】
第二の制御が行われることにより、入院患者の手のひら側と手の甲側の両方から同じ情報を視認可能となる。このため、入院患者の手首の姿勢を強制的に変えることなく、医療従事者は患者の生体情報を容易に確認することができる。また、同じ情報を入院患者と医療従事者が簡単に共有することができる。このため、共有した情報を用いて、体調についての会話をする等の対応が期待でき、医療の質を向上させることも可能になる。
【０１３０】
ここでは、任意のタイミングでの血圧測定時に制御部１２が第二の制御を選択する場合を説明したが、連続血圧測定モードの場合も、手動操作によって第一の制御（図１６に示す画面表示を行う制御）と第二の制御（図１７に示す画面表示を行う制御）を切り替えられる構成としてもよい。
【０１３１】
このように、血圧測定装置２００は、表示部１０４と表示部１０５の２つの表示部があることで、生体情報としての血圧値及び脈拍数の表示先の自由度を高めることができる。このため、被測定者のプライバシーを守りつつ、医療の質を高めたり、医療従事者と入院患者の負担を軽減したりといった効果を得ることができる。
【０１３２】
また、第一の制御が行われる場合、表示部１０５には、生体情報以外の情報を表示させることができる。このため、例えば、アナログ時計のような画像を表示部１０５に表示させることで、ファッション感覚で血圧測定装置２００を身に着けることが可能となる。これにより、血圧測定の習慣づけを容易に行うことができる。
【０１３３】
血圧測定装置２００は、圧脈波検出部１００の他に、体温を測定するためのデバイス、発汗度を測定するためのデバイス、及び経皮的動脈血酸素飽和度（ＳＰＯ２）を測定するためのデバイス等の他の生体情報測定用のデバイスを備え、制御部１２が、これらのデバイスの情報に基づいて血圧と脈拍以外の生体情報を測定してもよい。
【０１３４】
この場合、第一の制御のときは、他人に知られたくない生体情報（血圧値、脈拍数、体温、発汗度、酸素飽和度）を表示部１０４にのみ表示させればよい。また、第二の制御のときは、血圧値、脈拍数、体温、発汗度、及び酸素飽和度を、表示部１０４と表示部１０５の各々に表示させればよい。
【０１３５】
また、血圧値と脈拍数以外の情報は、外部の装置から無線又は有線の通信によって制御部１２が取得し、表示部１０４，１０５に表示させるようにしてもよい。これらの変形例において、制御部１２は、圧脈波検出部１００の検出情報に基づいて測定される生体情報以外の生体情報を取得する生体情報取得部として機能する。
【０１３６】
図１に示す血圧測定装置２００は、表示部１０４と表示部１０５が独立に設けられた構成であるが、表示部１０４と表示部１０５は一体化されていてもよい。
【０１３７】
図１８は、血圧測定装置２００の側面図の変形例を示す図である。図１８に示す血圧測定装置の筐体は、手首に装着できるように変形可能な材料で構成されたＣ字状の筐体１１０により構成されている。筐体１１０は手首Ｈを挿入可能な空間Ｋａを形成可能に構成されている。
【０１３８】
筐体１１０の外周面には、血圧測定装置が手首に装着された状態で、手のひら側から手の甲側まで延在する曲面ディスプレイ１０７が形成されている。
【０１３９】
曲面ディスプレイ１０７のうち、図１８において空間Ｋａを通る直線（例えば図１８の直線Ｌ２）と交わる２点（Ｐ１，Ｐ２）のうち、方向Ｄにおいて空間Ｋａの中心よりも手のひら側にある点Ｐ１を中心とする所定サイズのエリアが表示部１０４として機能し、方向Ｄにおいて空間Ｋａの中心よりも手の甲側にある点Ｐ２を中心とする所定サイズのエリアが表示部１０５として機能する。図１８に示す構成でも、血圧測定装置２００と同じ効果を得ることができる。
【０１４０】
本実施形態の制御部１２が行う図９，図１５に示した各ステップをコンピュータに実行させるためのプログラムとして提供することもできる。このようなプログラムは、当該プログラムをコンピュータが読取可能な一時的でない（ｎｏｎ−ｔｒａｎｓｉｔｏｒｙ）記録媒体に記録される。
【０１４１】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【０１４２】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１４３】
例えば、１拍毎のＳＢＰとＤＢＰの算出方法、及び、圧脈波検出部１００の構成は、これまで説明したものに限らず、特許文献１〜４に記載されているような周知のものを採用してもよい。
【０１４４】
また、血圧測定装置２００では、圧脈波検出部１００によって手首から直接的に検出した圧脈波に基づいて生体情報を測定するものとしたが、周知の手首式血圧計で用いられているような、生体信号を間接的に検出する構成を採用してもよい。
【０１４５】
すなわち、カフと、カフによる手首への圧迫圧力を制御する圧力制御部と、カフの内圧を検出する圧力センサとを用いて、生体信号としての圧脈波を検出し、周知のオシロメトリック法によって血圧を測定する構成としてもよい。また、この圧力センサの代わりにマイクロフォンを用い、生体信号としての血流音（コロトコフ音）を検出し、この血流音から血圧及び脈拍を含む生体情報を測定する構成としてもよい。
【０１４６】
以上説明してきたように、本明細書には以下の事項が開示されている。
【０１４７】
開示された血圧測定装置は、手首から検出される生体信号に基づいて生体情報を測定する生体情報測定部を有する手首装着型の生体情報測定装置であって、手首が挿入可能な空間を形成する筐体と、前記筐体の外周に設けられた第一の表示部及び第二の表示部と、前記第一の表示部及び前記第二の表示部の表示制御を行う表示制御部と、を備え、前記第一の表示部と前記第二の表示部は、前記第一の表示部の表示面の中心と前記第二の表示部の表示面の中心とを結ぶ直線上に前記空間が存在する配置になっており、かつ、前記生体情報測定装置が手首に装着された状態での手のひらに垂直な方向における、前記第一の表示部の表示面の中心と前記第二の表示部の表示面の中心の位置は、当該方向における前記空間の中心の位置を挟む位置となっているものである。
【０１４８】
開示された血圧測定装置は、圧力検出部と、前記圧力検出部を手首の皮膚下の動脈に対し押圧する押圧部と、を備え、前記生体情報測定部は、前記押圧部により前記圧力検出部が前記動脈に押圧された状態で前記圧力検出部により検出される生体信号としての圧脈波に基づいて生体情報を測定するものである。
【０１４９】
開示された血圧測定装置は、前記表示制御部は、前記生体情報測定部により測定された生体情報に基づく情報を前記第一の表示部と前記第二の表示部に表示させるものである。
【０１５０】
開示された血圧測定装置は、前記第一の表示部の表示面の中心の前記手のひらに垂直な方向における位置は、当該方向における前記空間の中心の位置よりも手のひら側であり、前記第二の表示部の表示面の中心の前記手のひらに垂直な方向における位置は、当該方向における前記空間の中心の位置よりも手の甲側であり、前記表示制御部は、前記生体情報に基づく情報として前記生体信号としての圧脈波に基づいて測定される脈拍のリズムを通知するための情報を前記第二の表示部に表示させ、前記生体情報に基づく情報として前記圧脈波に基づいて測定される血圧値を前記第一の表示部に表示させるものである。
【０１５１】
開示された血圧測定装置は、前記表示制御部は、前記第一の表示部と前記第二の表示部に異なる情報を表示させる第一の制御と、前記第一の表示部と前記第二の表示部に同じ情報を表示させる第二の制御と、を選択的に行うものである。
【０１５２】
開示された血圧測定装置は、前記第一の表示部の表示面の中心の前記手のひらに垂直な方向における位置は、当該方向における前記空間の中心の位置よりも手のひら側であり、前記第二の表示部の表示面の中心の前記手のひらに垂直な方向における位置は、当該方向における前記空間の中心の位置よりも手の甲側であり、前記第一の制御は、前記生体情報に基づく情報として前記生体信号としての圧脈波に基づいて測定される脈拍のリズムを通知するための情報を前記第二の表示部に表示させ、前記生体情報に基づく情報として前記圧脈波に基づいて測定される血圧値を前記第一の表示部に表示させる制御であり、前記第二の制御は、前記生体情報に基づく情報として前記圧脈波に基づいて測定される脈拍数、及び、前記圧脈波に基づいて測定される血圧値の少なくとも血圧値を前記第一の表示部と前記第二の表示部の各々に表示させる制御であるものを含む。
【０１５３】
開示された血圧測定装置は、前記第一の表示部の表示面の中心の前記手のひらに垂直な方向における位置は、当該方向における前記空間の中心の位置よりも手のひら側であり、前記第二の表示部の表示面の中心の前記手のひらに垂直な方向における位置は、当該方向における前記空間の中心の位置よりも手の甲側であり、前記生体情報測定部により測定された生体情報以外の生体情報を取得する生体情報取得部を更に備え、前記表示制御部が前記第一の表示部に表示させる情報は、前記生体情報取得部により取得された生体情報を含むものである。
【符号の説明】
【０１５４】
１００  圧脈波検出部
２  空気袋（押圧部）
３  平板部
５  回動部
５ａ  ２軸回転機構
６  センサ部
６ａ，７ａ  圧力センサ（圧力検出部）
６ｂ  押圧面
１０  回転駆動部
１１  空気袋駆動部
１２  制御部（表示制御部、生体情報測定部、生体情報取得部）
【図１】
2016158767.tif 000003
【図２】
2016158767.tif 000004
【図３】
2016158767.tif 000005
【図４】
2016158767.tif 000006
【図５】
2016158767.tif 000007
【図６】
2016158767.tif 000008
【図７】
2016158767.tif 000009
【図８】
2016158767.tif 000010
【図９】
2016158767.tif 000011
【図１０】
2016158767.tif 000012
【図１１】
2016158767.tif 000013
【図１２】
2016158767.tif 000014
【図１３】
2016158767.tif 000015
【図１４】
2016158767.tif 000016
【図１５】
2016158767.tif 000017
【図１６】
2016158767.tif 000018
【図１７】
2016158767.tif 000019
【図１８】
2016158767.tif 000020